(57)【要約】【課題】  高い保湿効果を備えるマスクを提供する。【解決手段】  顔の一部を被覆可能な布帛を備えるマスクであって、前記布帛の表面にナノシルク粒子及びナノプラチナ粒子が付着されてなるマスク。【選択図】      図２
0003220897.tif 000002
【実用新案登録請求の範囲】
【請求項１】
顔の一部を被覆可能な布帛及び耳掛け部を備えるマスクであって、
前記布帛の表面にナノシルク粒子、若しくはナノプラチナ粒子、又は、ナノシルク粒子及びナノプラチナ粒子が付着されてなる
ことを特徴とするマスク。
【請求項２】
請求項１に記載の前記ナノシルク粒子の粒子径が１００〜１０００ｎｍである
ことを特徴とするマスク。
【請求項３】
前記布帛の表面に、ナノプラチナ粒子が付着されてなる
ことを特徴とする請求項１または２に記載のマスク。
【請求項４】
請求項１または２に記載の前記ナノシルク粒子が、該ナノシルク粒子を分散させたナノシルク粒子分散液への前記布帛の浸漬、または、前記布帛を構成する樹脂繊維への練り込みにより付着されてなる
ことを特徴とするマスク。
【請求項５】
請求項１に記載の前記ナノプラチナ粒子が、該ナノプラチナ粒子を分散させたナノプラチナ粒子分散液への前記布帛の浸漬、または、前記布帛を構成する樹脂繊維への練り込みにより付着されてなる
ことを特徴とするマスク。
【考案の詳細な説明】
【技術分野】
【０００１】
本考案は、高い保湿効果を備えたマスクに関する。
【背景技術】
【０００２】
風邪などの疾患を患った患者が、咳などにより口や鼻から病原菌が外気へ放出されることを防止するため、若しくは、花粉症を有する者が外気に飛散している花粉などのアレルギー源を体内へ取り込まないようにするためなど、体調維持を目的としてマスクは重要な役割を担っている。
【０００３】
さらにマスクの重要な役割として、喉の乾燥を抑制して、喉の炎症を防止することが挙げられる。特に喉を乾燥から守り、炎症から引き起こされる疾患を予防するために、保湿効果の高いマスクの需要は高い。そのため、鼻の形状に沿って変形可能な非弾性の帯体を設けるなどにより顔とマスクとの隙間を小さくする工夫がなされている。
【先行技術文献】
【特許文献】
【０００４】
【特許文献１】特開２０１７−１５０１１９号公報
【考案の概要】
【考案が解決しようとする課題】
【０００５】
しかし、顔とマスクとの隙間を小さくするだけではマスクそのものの保湿性を高めることができたとはいい難い。
【課題を解決するための手段】
【０００６】
そこで、上記課題を解決するための手段として本考案に係るマスクは、顔の一部を被覆可能な布帛及び耳掛け部を備えるマスクであって、前記布帛の表面にナノシルク粒子、若しくはナノプラチナ粒子が付着されてなることを特徴とする。
【０００７】
また前記マスクは、前記布帛の表面には、前記ナノシルク粒子と共にナノプラチナ粒子が付着されてなるものであっても好ましい。
【０００８】
また、前記ナノシルク粒子の粒子径は１００〜１０００ｎｍであることが好ましい。
【０００９】
また、前記ナノシルク粒子は、該ナノシルク粒子を分散させたナノシルク粒子分散液への前記布帛の浸漬、または、前記布帛を構成する樹脂繊維への練り込みにより付着されてなるものが好ましい。
【００１０】
さらに、前記ナノプラチナ粒子は、該ナノプラチナ粒子を分散させたナノプラチナ粒子分散液への前記布帛の浸漬、または、前記布帛を構成する樹脂繊維への練り込みにより付着されてなるものが好ましい。
【００１１】
さらに、前記ナノシルク粒子及び前記ナノプラチナ粒子は、マスクが使用者の口に近い層に付着されていることが好ましい。これにより、ナノシルク粒子の有する保湿機能による効果をマスクの使用者が直接的に感じることができる。また、ナノプラチナ粒子を有する抗酸化能力によるマスク表面への雑菌の繁殖、若しくは保湿性能の劣化防止効果についてもマスクの使用者が直接的に感じることができる。
【００１２】
前記マスクの使用者の口に近い層としては、例えばマスクが３層以上の構造を備えている場合に、最も口に近い側の層若しくは最外層よりも内側に配置された中間層であることが好ましい。また、前記ナノシルク粒子及び前記ナノプラチナ粒子のうち、本考案に係るマスクに付着されてなる粒子を前記中間層である、ＢＦＥ（大腸菌、黄色ブドウ球菌などの細菌ろ過を行う層）、若しくはＰＦＥ（ウィルスなどの微小粒子補集効率を高める際に使用され、例えばポリプロピレン不織布（メルトブロン）によって構成されてなる層）に付着させることとしてもよい。
【考案の効果】
【００１３】
本考案によれば、付着したナノシルク粒子によって、シルク以外の布帛からなるマスクにシルクの保湿性を付加し、保湿機能が高いマスクを提供することができる。特に、ナノシルク粒子の粒子径が１００〜１０００ｎｍであることによって、シルク由来の保湿機能を効率的に残存させたマスクを提供することができる。
【００１４】
さらに、布帛の表面に、ナノシルク粒子と共にナノプラチナ粒子が付着されてなることによって、ナノプラチナ粒子の保有している抗菌性、抗酸化能力によってナノシルク粒子の酸化を抑制し、高い保湿機能を長期に持続可能なマスクを提供することができる。
【００１５】
また、前記ナノシルク粒子及びナノプラチナ粒子が、それぞれの粒子を分散させた分散液に前記布帛を浸漬させることによって布帛の表面に付着されたものであることにより、本考案に係るマスクを短期の製造期間で製造することができ、製造コストの低減を図ることができる。
【図面の簡単な説明】
【００１６】
【図１】本考案に係るマスク１の一例であって、マスク１の正面を示す概略図である。
【図２】マスク１の背面を示す概略図である。二点鎖線で示す円は、布帛２の内側面に付着したナノシルク粒子Ｓ及びナノプラチナ粒子Ｐの様子を拡大して示す概略図である。
【図３】本考案に係るマスク１を顔に装着した状態を示す図である。
【図４】本考案に係るマスク１の多層構造の一例を示す拡大断面図である。
【考案を実施するための形態】
【００１７】
以下、本考案に係る実施の形態を、図を参照しながら詳しく説明する。
【００１８】
図１は、本考案に係るマスク１を例示してその全体像を示す概略図である。マスク１は、顔の口及び鼻部分を被覆可能な大きさを備える矩形の布帛２を備え、布帛２の左右端辺には、マスク１の装着者の耳に掛けて装着状態を保持する紐状の耳掛け部３が取り付けられてなる。布帛２は、綿などの天然繊維、または、ナイロン、ポリエチレン、若しくはポリプロピレンなどの樹脂繊維を含む不織布で構成されてなることが好ましい。
【００１９】
布帛２の表面には、ナノシルク粒子Ｓが付着されてなると共に、ナノプラチナ粒子Ｐが付着されてなる。
【００２０】
ナノシルク粒子Ｓは、粒径１００〜１０００ｎｍの粒子であることが好ましい。ナノシルク粒子Ｓを、粒子径数百ｎｍとすることで、シルク中に含まれるセリシン、フィブロイン、またはグリシンという機能性成分を分解させずに残存させることができるからである。特に、生体適合性が高く、通気機能と保湿機能を兼ね備えたフィブロイン、高い保湿機能、抗酸化機能、抗菌機能、紫外線吸収作用を備えたセリシンを分解させずに残存させることにより、綿、ナイロン、レーヨン、ポリエチレン、若しくはポリプロピレンなどによって構成される布帛２にシルク由来の特性を付加させることが可能となる。
【００２１】
また、ナノプラチナ粒子Ｐは、粒径１〜５０ｎｍであって、有機物の保護膜で覆われていない状態のナノプラチナ粒子であることが好ましい。さらにナノプラチナ粒子Ｐは、１〜５ｎｍの粒径であるのがより好ましい。この範囲であると、ナノプラチナ粒子の抗酸化作用、除菌作用等の効果を十分発現させ、布帛２に付着したナノシルク粒子Ｓの酸化による劣化を抑制することができるからである。以下、ナノシルク粒子Ｓ及びナノプラチナ粒子Ｐを包括してナノ粒子ということがある。
【００２２】
＜レーザー微細化によるナノ粒子＞
上記のようなナノ粒子は、シルクもしくはプラチナを水中に浸漬した状態でレーザー光照射により微細化し、そのまま水中に分散させたナノ粒子水（ナノ粒子分散水）の状態で保存しておくことが望ましい。ナノ粒子の凝集を抑制することができるからである。
【００２３】
＜ナノ粒子分散水の製造方法＞
このようなナノ粒子分散水は、以下のような方法によって製造される。すなわち、ナノ粒子化しようとするシルク原料もしくはプラチナ原料を溶媒（本実施形態では水）の中に浸漬した状態で、プラチナ原料もしくはシルク原料をターゲットとして、レーザー光源によるレーザー光照射と、超音波振動子による超音波照射とを同時に行う。ここで、シルク原料は、シルク片若しくは粒状シルクを用いることが好ましい。また、プラチナ原料は、板状のプラチナ板若しくは粒状プラチナを用いることが好ましい。
【００２４】
シルク原料に粒状シルクを用いる場合には、粒状シルクの粒径が１〜１００μｍ程度のものが好ましいが、ナノシルク粒子Ｓよりも大きなものであればその大きさは限定しない。また、シルク原料にシルク片を用いる場合には、数ｍｍ角の布状片を用いることができる。
【００２５】
プラチナ原料に粒状プラチナを用いる場合には、粒状プラチナの粒径が１〜１００μｍ程度のものが好ましいが、ナノプラチナ粒子よりも大きなものであればその大きさは限定しない。プラチナ原料にプラチナ板を用いる場合には、板の厚みが０．５ｍｍ〜２．０ｍｍ程度のものが好ましい。以下、本実施の形態においては、プラチナ原料に前記プラチナ板を用いるものとする。
【００２６】
これにより、水中に浸漬されて分散状態のシルク原料若しくはプラチナ原料に対してレーザーを照射することによって微細化してナノ粒子化させるとともに、微細化したナノ粒子の凝集を超音波照射で抑制し、水中にナノ粒子が分散して浮遊した状態（ナノ粒子分散水）を生成することができる。このような水中におけるレーザーを用いたナノ粒子化は、液相レーザアブレーションの原理に基づく。シルク原料をナノ粒子化して、ナノシルク粒子Ｓを水中に分散させたものをナノシルク粒子分散水といい、プラチナ原料をナノ粒子化して、プラチナナノ粒子Ｐを水中に分散させたものをナノプラチナ粒子分散水という。
【００２７】
例えばナノシルク粒子分散水とナノプラチナ粒子分散水とを混合したナノ粒子分散液に、布帛２を浸漬させたあと、乾燥させることによって、布帛２の表面にナノシルク粒子Ｓ及びナノプラチナ粒子Ｐが付着した構造を実現することができる。布帛２に耳掛け部３が取り付けられて形成されたマスク１は、図２に示すように、顔に装着することができる。図２中の二点鎖線で示す円は、使用者の口に対面する布帛２の内側面に付着したナノシルク粒子Ｓ及びナノプラチナ粒子Ｐの様子を拡大して示す概略図である。
【００２８】
また、ナノシルク粒子Ｓ及びナノプラチナ粒子Ｐの付着は、いずれか一方のナノ粒子、若しくは両方のナノ粒子を、布帛２を構成する樹脂繊維への練り込みによって行われても好ましい。この場合、あらかじめナノ粒子分散水をスプレー法などにより乾燥させることによって乾燥状態として取得したナノ粒子を、樹脂繊維の原料となるペレットへ練り込んでおくことで可能となる。ナノ粒子が練り込まれたペレットは、その後繊維化されて布帛２を構成する樹脂繊維として形成される。
【００２９】
ナノ粒子が布帛２を構成する樹脂繊維に練り込まれてなることにより、布帛２に付着されたナノ粒子の脱落を抑制できるだけでなく、不織布表面の減損によっても樹脂繊維内部から新たなナノ粒子を樹脂繊維表面に露出させることができるため、上記ナノシルク粒子Ｓやナノプラチナ粒子Ｐの有する効果を、浸漬による付着の場合よりもより長期にわたって維持させることができる。
【００３０】
布帛２に付着したナノシルク粒子Ｓは、保湿性の高いマスク１を提供することができる。さらにまた、布帛２の表面に、ナノシルク粒子Ｓと共にナノプラチナ粒子Ｐとを付着してなることによって、ナノプラチナ粒子Ｐによるナノシルク粒子Ｓの酸化抑制効果により、ナノシルク粒子Ｓの保湿機能を長期に維持することができる。これにより、高い保湿機能を長期に持続可能なマスク１を提供することができる。
【００３１】
また、ナノシルク粒子Ｓ及びナノプラチナ粒子Ｐが、それぞれの粒子を分散させた分散液に布帛２を浸漬させることによって布帛２の表面に付着されたものであることによって、マスク１を短期の製造期間で製造することができ、マスク１に高い保湿機能を付加すると共に、低い製造コストでの提供を図ることができる。
【００３２】
さらに、ナノシルク粒子Ｓ及びナノプラチナ粒子Ｐは、マスク１が使用者の口に近い層に付着されていることが好ましい。これにより、ナノシルク粒子Ｓの有する保湿機能による効果をマスク１の使用者が直接的に感じることができる。また、ナノプラチナ粒子Ｐを有する抗酸化能力によるマスク表面への雑菌の繁殖、若しくは保湿性能の劣化防止効果についてもマスクの使用者が直接的に感じることができる。
【００３３】
マスク１の使用者の口に近い層としては、例えば、マスク１が図４に示すような３層の構造を備えている場合に、最も口に近い側の層２ａ若しくは中間層２ｂであることが好ましい。また、本考案に係るマスク１に付着されてなる粒子を、中間層２ｂをＢＦＥ（大腸菌、黄色ブドウ球菌などの細菌ろ過を行う層）として、若しくはＰＦＥ（ウィルスなどの微小粒子補集効率を高める際に使用され、例えばポリプロピレン不織布（メルトブロン）によって構成されてなる層）として構成した場合に、ナノシルク粒子Ｓ及び前記ナノプラチナ粒子Ｐのうちを前記ＢＦＥもしくはＰＦＥに付着させることによって雑菌などの繁殖を抑え、快適な装着感を長持ちさせることができる。
【符号の説明】
【００３４】
１  マスク
２  布帛
３  耳掛け部
Ｓ  ナノシルク粒子
Ｐ  ナノプラチナ粒子
【図１】
0003220897.tif 000003
【図２】
0003220897.tif 000004
【図３】
0003220897.tif 000005
【図４】
0003220897.tif 000006